【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
複数のアンテナを用い、各アンテナの指向性を適応的に変化させて、送信局と複数の受信局とのダウンリンクを空間分割多重接続する無線通信システムであって、
複数の受信局から２つのリファレンス信号が送信され、
送信側では、一方のリファレンス信号を用いて各アンテナの重みを学習し、他方のリファレンス信号を用いて学習した各アンテナの重みにより各受信側で確保できるＳＩＮＲを評価する、
ことを特徴とする無線通信システム。
【請求項２】
複数のアンテナを有するアクセス・ポイントが複数のステーションと通信する無線通信環境下において、アクセス・ポイントからステーションへ通信を行なうダウンリンクを空間分割多重接続する、
ことを特徴とする請求項１に記載の無線通信システム。
【請求項３】
送信側において、学習した各アンテナ重みを用いた出力の電力評価結果と、各受信側からの受信信号の電力結果を用いて、ダウンリンク時の各受信側でのＳＩＮＲを推定する、
ことを特徴とする請求項１に記載の無線通信システム。
【請求項４】
該ＳＩＮＲの推定結果に基づいてダウンリンク時の変調方式を決定する、
ことを特徴とする請求項３に記載の無線通信システム。
【請求項５】
送信側がＲＴＳ（Ｒｅｑｕｅｓｔ  ｔｏ  Ｓｅｎｄ：送信要求）を送信し、各受信側がＲＴＳに応答してＣＴＳ（Ｃｌｅａｒ  ｔｏ  Ｓｅｎｄ：受信準備完了）を返すことでデータ送信を開始するＲＴＳ／ＣＴＳ方式が採用され、
送信側はＲＴＳを空間分割により送信し、各受信側は時分割によりＣＴＳを返信する、
ことを特徴とする請求項３に記載の無線通信システム。
【請求項６】
送信側では、
各受信側から受信したＣＴＳの電力を取得し、
ＣＴＳに含まれる２つのリファレンス信号の一方のリファレンス信号を用いて各アンテナの重みを学習するとともに、他方のリファレンス信号を用いて各受信側で確保できるＳＩＮＲを評価し、
該電力情報と該ＳＩＮＲの情報に基づいて、データ・パケット送信時に変調方式を決定し、
該決定した変調方式により、得られた重みで空間分割多重してデータ・パケットを送信する、
ことを特徴とする請求項５に記載の無線通信システム。
【請求項７】
複数のアンテナを用い、各アンテナの指向性を適応的に変化させて、複数の相手と空間分割多重接続する無線通信装置であって、
無線信号を送信する送信手段と、
無線信号を受信する受信手段と、
複数の受信局から２つのリファレンス信号の一方のリファレンス信号を用いて各アンテナの重みを学習する学習手段と、
他方のリファレンス信号を用いて学習した各アンテナの重みで各受信側で確保できるＳＩＮＲを評価する評価手段と、
を具備することを特徴とする無線通信装置。
【請求項８】
各受信局からの受信信号の電力を取得する電力取得手段と、
前記電力取得手段で得られる電力情報と、前記評価手段で得られるＳＩＮＲの情報に基づいて、各受信局でのＳＩＮＲを推定する推定手段と、
をさらに備えることを特徴とする請求項７に記載の無線通信装置。
【請求項９】
前記推定手段により推定されたＳＩＮＲに基づいてダウンリンク時の変調方式を決定する変調方式決定手段をさらに備え、
前記送信手段は、該決定した変調方式により、得られた重みで空間分割多重してデータ・パケットを送信する、
ことを特徴とする請求項８に記載の無線通信装置。
【請求項１０】
ＲＴＳ（Ｒｅｑｕｅｓｔ  ｔｏ  Ｓｅｎｄ：送信要求）を送信し、各受信側からＣＴＳ（Ｃｌｅａｒ  ｔｏ  Ｓｅｎｄ：受信準備完了）を受信したことでデータ送信を開始するＲＴＳ／ＣＴＳ方式を採用し、
前記電力取得手段は、各受信側から受信したＣＴＳの電力を取得し、
前記学習手段はＣＴＳに含まれる２つのリファレンス信号の一方のリファレンス信号を用いて各アンテナの重みを学習するとともに、前記評価手段は他方のリファレンス信号を用いて各受信側で確保できるＳＩＮＲを評価する、
ことを特徴とする請求項８に記載の無線通信装置。
【請求項１１】
複数のアンテナを用い、各アンテナの指向性を適応的に変化させて、複数の相手と空間分割多重接続するための無線通信方法であって、
複数の受信局から２つのリファレンス信号の一方のリファレンス信号を用いて各アンテナの重みを学習する学習ステップと、
他方のリファレンス信号を用いて学習した各アンテナの重みで各受信側で確保できるＳＩＮＲを評価する評価ステップと、
各受信局からの受信信号の電力を取得する電力取得ステップと、
前記電力取得ステップで得られる電力情報と、前記評価ステップで得られるＳＩＮＲの情報に基づいて、各受信局でのＳＩＮＲを推定する推定ステップと、
前記推定ステップにより推定されたＳＩＮＲに基づいてダウンリンク時の変調方式を決定する変調方式決定ステップと、
該決定した変調方式により、得られた重みで空間分割多重してデータを送信するデータ送信ステップと、
を具備することを特徴とする無線通信方法。
【請求項１２】
複数のアンテナを用い、各アンテナの指向性を適応的に変化させて、複数の相手と空間分割多重接続するための処理をコンピュータ・システム上で実行するようにコンピュータ可読形式で記述されたコンピュータ・プログラムであって、
複数の受信局から２つのリファレンス信号の一方のリファレンス信号を用いて各アンテナの重みを学習する学習ステップと、
他方のリファレンス信号を用いて学習した各アンテナの重みで各受信側で確保できるＳＩＮＲを評価する評価ステップと、
各受信局からの受信信号の電力を取得する電力取得ステップと、
前記電力取得ステップで得られる電力情報と、前記評価ステップで得られるＳＩＮＲの情報に基づいて、各受信局でのＳＩＮＲを推定する推定ステップと、
前記推定ステップにより推定されたＳＩＮＲに基づいてダウンリンク時の変調方式を決定する変調方式決定ステップと、
を具備することを特徴とするコンピュータ・プログラム。
【請求項１３】
複数のアンテナを用い、各アンテナの指向性を適応的に変化させて、送信局と複数の受信局とのダウンリンクを空間分割多重接続する無線通信システムであって、
マルチキャリヤ方式を採用し、サブキャリヤ毎に各アンテナの重みの学習とＳＩＮＲの評価を行なう際に、
サブキャリヤ毎の所望信号電力と干渉信号電力を取得し、各サブキャリヤの干渉電力の大きさが同一となるように、サブキャリヤ毎に所望信号と干渉信号の比率を保ったまま信号レベルを変換した後、各サブキャリヤのＳＩＮＲを統合する、
ことを特徴とする無線通信システム。
【請求項１４】
送信局は各受信局宛ての電力測定用信号を時分割で送信し、
受信局では、
自局宛の電力測定用信号を所望信号として電力測定するとともに、他局宛の電力測定用信号を干渉信号として電力測定し、
各サブキャリヤの干渉電力の大きさが同一となるように、サブキャリヤ毎に所望信号と干渉信号の比率を保ったまま信号レベルを変換した後、各サブキャリヤのＳＩＮＲを統合する、
ことを特徴とする請求項１３に記載の無線通信システム。
【請求項１５】
複数のアンテナを用い、各アンテナの指向性を適応的に変化させて空間分割多重接続する無線通信環境下で動作する無線通信装置であって、
マルチキャリヤ方式により無線信号を送受信する通信手段と、
サブキャリヤ毎の所望信号電力と干渉信号電力を取得する電力取得手段と、
各サブキャリヤの干渉電力の大きさが同一となるように、サブキャリヤ毎に所望信号と干渉信号の比率を保ったまま信号レベルを変換した後、各サブキャリヤのＳＩＮＲを統合するＳＩＮＲ評価手段と、
を具備することを特徴とする無線通信装置。
【請求項１６】
複数のアンテナを用い、各アンテナの指向性を適応的に変化させて、ダウンリンクを空間分割多重接続する無線通信環境下で、ダウンリンク側の１つの受信局として動作する無線通信装置であって、送信側からは各受信局宛ての電力測定用信号が時分割で送信され、
マルチキャリヤ方式により無線信号を送受信する通信手段と、
自局宛の電力測定用信号を所望信号とするとともに他局宛の電力測定用信号を干渉信号として、サブキャリヤ毎の所望信号電力と干渉信号電力を取得する電力取得手段と、
各サブキャリヤの干渉電力の大きさが同一となるように、サブキャリヤ毎に所望信号と干渉信号の比率を保ったまま信号レベルを変換した後、各サブキャリヤのＳＩＮＲを統合するＳＩＮＲ評価手段と、
を具備することを特徴とする無線通信装置。
【請求項１７】
複数のアンテナを用い、各アンテナの指向性を適応的に変化させて空間分割多重接続する無線通信環境下で動作するための無線通信方法であって、
サブキャリヤ毎の所望信号電力と干渉信号電力を取得する電力取得ステップと、
各サブキャリヤの干渉電力の大きさが同一となるように、サブキャリヤ毎に所望信号と干渉信号の比率を保ったまま信号レベルを変換した後、各サブキャリヤのＳＩＮＲを統合するＳＩＮＲ評価ステップと、
を具備することを特徴とする無線通信方法。
【請求項１８】
複数のアンテナを用い、各アンテナの指向性を適応的に変化させて、ダウンリンクを空間分割多重接続する無線通信環境下で、ダウンリンク側の１つの受信局として動作するための無線通信方法であって、送信側からは各受信局宛ての電力測定用信号が時分割で送信され、
自局宛ての電力測定用信号を所望信号とするとともに他局宛ての電力測定用信号を干渉信号として、サブキャリヤ毎の所望信号電力と干渉信号電力を取得する電力取得ステップと、
各サブキャリヤの干渉電力の大きさが同一となるように、サブキャリヤ毎に所望信号と干渉信号の比率を保ったまま信号レベルを変換した後、各サブキャリヤのＳＩＮＲを統合するＳＩＮＲ評価ステップと、
を具備することを特徴とする無線通信方法。
【請求項１９】
複数のアンテナを用い、各アンテナの指向性を適応的に変化させて空間分割多重接続する無線通信環境下で動作するための処理をコンピュータ上で実行するようにコンピュータ可読形式で記述されたコンピュータ・プログラムであって、前記コンピュータに対し、
サブキャリヤ毎の所望信号電力と干渉信号電力を取得する電力取得手順と、
各サブキャリヤの干渉電力の大きさが同一となるように、サブキャリヤ毎に所望信号と干渉信号の比率を保ったまま信号レベルを変換した後、各サブキャリヤのＳＩＮＲを統合するＳＩＮＲ評価手順と、
を実行させることを特徴とするコンピュータ・プログラム。